(57)【要約】【課題】エレベーターかご内表示装置において、利用者にも広告主にも利点がある広告提案を行なうことにある。【解決手段】エレベーターかご内に設置されるモニター１とモニターに広告を表示させる表示制御部２と、表示内容と時間を管理する管理部３と、エレベーター利用者４が持つ利用者を特定可能なＩＤ装置５と、ＩＤ装置５から番号を読み取る読み取り装置６と、読み取り装置６からＩＤ番号を受け取り管理部３へＩＤ番号を送信する送信部７と、管理部に表示データを送信し且つポイントデータを集積・評価するセンター装置９とポイントの状態を通知する通知部１０からなり、モニターに表示中の広告をＩＤ装置保持者が見たことを、表示時間とＩＤ番号から判断して広告に対応してポイントを加算し、ＩＤ保持者に対しては指定のポイントが貯まるとメール等で通知を行い、ポイントと還元サービスを行う。また、広告提供者に対しては視聴年齢・人数等の広告視聴データを提供する。【選択図】図１
2006117355.tif 000002
【特許請求の範囲】
【請求項１】
エレベーターかご内に設置されるモニターと、前記モニターに広告を表示させる表示制御部と、前記表示内容と時間を管理する管理部と、エレベーター利用者が持つ利用者を特定可能なＩＤ装置と、前記ＩＤ装置から番号を読み取る読み取り装置と、前記読み取り装置からＩＤ番号を受け取り前記管理部へＩＤ番号を送信する送信部と、前記管理部に表示データを送信し且つポイントデータを集積・評価するセンター装置と、ポイントの情報を通知する通知部からなるシステムで、モニタ−に表示中の広告をＩＤ装置保持者が視聴したことを、表示時間とＩＤ取得時間から判断して広告に対応しポイントを加算し、ＩＤ保持者に対しては指定のポイントが貯まるとメール等で通知を行い、ポイント還元サービスを行い、さらに広告提供者に対しては視聴年齢・人数等の広告視聴データを提供するエレベーター広告視聴サービス。
【請求項２】
請求項１のシステムにおいて、年齢・人数等をあらかじめ設定し、設定されたデータのみを提供するエレベーター広告視聴サービス。
【請求項３】
請求項１のシステムにおいて、ポイント還元方法に商品提供を行なうエレベーター広告視聴サービス。
【発明の詳細な説明】
【技術分野】
【０００１】
本発明は、エレベーターに表示機で広告を表示するエレベーター広告視聴システムに関する。
【背景技術】
【０００２】
エレベーターに用いられている表示機を使用し情報配信を行なうシステムにおいて、商業広告を放映する技術は従来からある。
【特許文献１】特開２００４−１８２４６４号公報（段落００１３〜００２２、図１）
【発明の開示】
【発明が解決しようとする課題】
【０００３】
エレベーターで配信されている広告は、単に映像を放映しているのみで利用者にも、広告主にもメリットが十分に伝わらない問題があった。
【０００４】
また、上記のように特定階に行く時に専用の広告を表示する場合においては、利用者に対しては情報を利用者の携帯通信端末に送信することが出来、その情報を元にインターネットで情報を取得できる。広告主に対しては、特定階への釦操作の情報が広告主に配信されるという方法も提案されているが、利用者においては、割引券を取得する等の広告でなければメリットが無く、広告主においては、視聴者の詳細なデータを取得できないといった問題点があった。
【課題を解決するための手段】
【０００５】
上記目的を達成するために本発明では、エレベーターかご内に設置されるモニターと、前記モニターに広告を表示させる表示制御部と、前記表示内容と時間を管理する管理部と、エレベーター利用者が持つ利用者を特定可能なＩＤ装置と、前記ＩＤ装置から番号を読み取る読み取り装置と、前記読み取り装置からＩＤ番号を受け取り前記管理部へＩＤ番号を送信する送信部と、前記管理部に表示データを送信し且つポイントデータを集積・評価するセンター装置とポイントの状態を通知する通知部からなり、モニターに表示中の広告をＩＤ装置保持者が見たことを、表示時間とＩＤコードから判断し広告に対応してポイントを加算し、ＩＤ保持者に対しては指定のポイントが貯まるとメール等で通知を行い、ポイント還元サービスを行う。また、広告提供者に対しては視聴年齢・人数等の広告視聴データを提供するとことを特徴とする。
【発明の効果】
【０００６】
以上、説明したように本発明ではエレベーター利用者個別に視聴情報を判断できることから、利用者にも広告主にもメリットがある広告提案を行なうことが出来る。
【発明を実施するための最良の形態】
【０００７】
図１は本発明である一実施形態を表すブロック図で、図２は本発明の一実施形態の動作を示すフローチャートである。
【０００８】
図１において、１はエレベーターかご内表示機、２は表示制御部、３は管理部、４はエレベーター利用者、５はＩＤ装置、６は読み取り装置、７は送信部、８は公衆回線網、９はセンター装置、１０は通知部、１１は携帯情報端末、１２は広告主である。
【０００９】
前記広告主１２の指定した広告を前記センター装置９から前記公衆回線網８を経由して前記管理部３に蓄えられた広告データを前記表示制御部２は、前記エレベーターかご内表示機１に表示させる。また、前記利用者４が携帯する前記ＩＤ装置５のデータをエレベーター利用時に前記読み取り装置６が読み取り、その情報は送信部７を介して前記管理部３に送信される。データを受信した前記管理部３は、前記表示制御部２が前記エレベーターかご内表示機１に表示させている広告をスケジュール管理しており、表示されている広告の内容と前記ＩＤ装置５から読み取ったＩＤデータを組み合わせて視聴回数をカウントする。この前記視聴回数は、前記公衆回線網８を経由して前記センター装置９に送信され、前記センター装置９は前記データを前記ＩＤデータと広告毎に蓄積し、広告に応じたポイントが蓄積された時には前記通知部１０を介して前記携帯情報端末１１に通知し、ポイント消化要求を受ける。さらに、前記広告主１２には通知部１０を介して定期的に年齢別・性別といった要求される視聴データを配信する。
【００１０】
このような状態で、図２のフローチャートを用いて動作を説明する。
【００１１】
最初に前記管理部３は前記センター装置９から前記公衆回線網８を介して表示を行なうための画像データとスケジュールデータを受信格納する（手順Ｓ０１）。前記管理部３は表示制御部２に表示情報を送信し、表示情報に基づいて表示制御部２は前記エレベーターかご内表示機に広告を表示する（手順Ｓ０２）。このような状態で、前記ＩＤ装置を携帯している前記利用者４がエレベーターを利用した場合に（手順Ｓ０３）。前記読み取り装置６が前記ＩＤ装置５からＩＤデータを読み取る（手順Ｓ０４）。前記読み取り装置６は読み取ったデータを送信部７を介して前記管理部３へ送信する（手順Ｓ０５）。前記管理部３は受信したＩＤデータと前記スケジュールデータを組み合わせて、前記ＩＤ装置の所有者が視聴した広告をＩＤデータ毎にカウントアップする（手順Ｓ０６）。前記センター装置９は月に１回で定期的に前記公衆回線網８を介して前記管理部３から前記受信格納していたＩＤデータに付随するカウントデータ等を読み出す（手順Ｓ０７）。前記センター装置９は、ＩＤデータ毎に年齢・性別等の個人データと共に視聴データをポイントとして加算管理し且つ広告別・地域別・性別・年齢別・時間別にも分類加算する（手順Ｓ０８）。前記センター装置９は前記加算管理したポイントが規定のポイント値を超えた場合、前記通知部１０を介して前記携帯情報端末１１にメールでポイントが超えたことを通知する（手順Ｓ０９）。前記通知を受けた前記利用者４はインターネットまたはメールを返信しポイント消化の請求を行なう（手順Ｓ１０）。前記請求を受けた前記通知部１０は、前記センター装置に登録されている個人データに従いサービス品を送付・配信・提供し、ポイント消化をセンター装置に通達する（手順Ｓ１１）。広告主には広告契約時に定めた周期によって、前記センター装置９に蓄えられた視聴データを個人が特定されない範囲で年齢・性別・時間・地域等または、契約内容によってあらかじめ指定された年齢等の指定項目を前記通知部１０を介して送信する（手順Ｓ１２）。
【図面の簡単な説明】
【００１２】
【図１】本発明の一実施形態を表すブロック図である。
【図２】本発明の一実施形態を表すフローチャートである。
【符号の説明】
【００１３】
１  エレベーターかご内表示機
２  表示制御部
３  管理部
４  利用者
５  ＩＤ装置
６  読み取り装置
７  送信部
８  公衆回線網
９  センター装置
１０  通知部
１１  携帯情報端末
１２  広告主
【図１】
2006117355.tif 000003
【図２】
2006117355.tif 000004